(57)【要約】【課題】スロット充填ファクタの高い改良型ブラシモータを提供する。【解決手段】ブラシモータは、２Ｐ個の磁極をもつ固定子、回転子コアを含む回転子、整流子、及び回転子コアに巻かれた巻線を備える。回転子コアは、Ｎ個の歯を備え、隣接歯間にスロットが形成される。整流子は、Ｚ1・・・ＺX・・・ＺY・・・ＺMで表されたＭ個のセグメントを含み、Ｍ、Ｎ、Ｐ、Ｙ及びＸは整数であり、Ｍは、奇数でＮより大きい。各巻線は、出発点がセグメントＺXに接続され、終了点が別のセグメントＺYに接続される。各巻線は、それに対応する歯に巻かれた少なくとも１つのコイルを含む。幾つかの巻線は、異なる歯に巻かれた複数のコイルを含む。各巻線のコイルの全巻回は実質的に同じである。複数の巻線より成る巻線ユニットが、各対の隣接セグメント間に接続される。ＺX及びＺYは、式｜Ｙ−Ｘ｜＝（Ｍ±１）／Ｐを満足する。【選択図】図１
2011024416.tif 000002
【特許請求の範囲】
【請求項１】
２Ｐ個の極をもつ固定子、回転子コアを含む回転子、整流子、及び回転子コアの歯の周りに巻かれた巻線を備えたブラシモータにおいて、
回転子コアは、Ｎ個の歯を備え、隣接する歯の間にスロットが形成され；
整流子は、Ｚ1・・・ＺX・・・ＺY・・・ＺMで表されたＭ個のセグメントを含み、Ｍは、Ｎより大きく、Ｎ、Ｐ、Ｙ及びＸは、整数であり、Ｍは、奇数の整数であり；
各巻線は、出発点がセグメントＺXに接続され、そして終了点が別のセグメントＺYに接続され、ＺX及びＺYは、式｜Ｙ−Ｘ｜＝（Ｍ±１）／Ｐを満足するものであり；
各巻線は、それに対応する歯（１つ又は複数）に巻かれた少なくとも１つのコイルを含み、幾つかの巻線は、異なる歯に巻かれた複数のコイルを含み、各巻線のコイルの全巻回数は実質的に同じであり；そして
複数の巻線により形成される巻線ユニットが、各対の隣接セグメント間に接続される、ブラシモータ。
【請求項２】
複数のコイルを含む前記幾つかの巻線は、各々、互いに逆方向に異なる歯の周りに巻かれた２つのコイルを有する、請求項１に記載のブラシモータ。
【請求項３】
２つのコイルを有する各巻線の２つのコイルは、２つのセグメント間に接続されると共に、前記２つのセグメント間に接続された仮想ウェーブ巻線として協働する、請求項２に記載のブラシモータ。
【請求項４】
同じ巻線の２つのコイルは、異なる巻回数を有する、請求項２又は３に記載のブラシモータ。
【請求項５】
各対の隣接巻線は、共通の歯又は歯のグループの周りに巻かれたコイルを有する、請求項２、３又は４に記載のブラシモータ。
【請求項６】
ある巻線ユニットにおいて、隣接対の巻線のコイルは、同じ歯の周りに巻かれる、請求項５に記載のブラシモータ。
【請求項７】
各コイルは、１つの歯の周りに巻かれる、請求項１ないし６のいずれかに記載のブラシモータ。
【請求項８】
前記モータは、４個の極、５個の歯、２５個のセグメント、及び２５個の巻線を含む、請求項７に記載のブラシモータ。
【請求項９】
各コイルは、複数の歯の周りに巻かれる、請求項１ないし６のいずれかに記載のブラシモータ。
【請求項１０】
前記モータは、４個の極、１５個の歯、４５個のセグメント、及び４５個の巻線を含み、各コイルは、３個の歯の周りに巻かれる、請求項９に記載のブラシモータ。
【請求項１１】
各巻線ユニットは、２つの巻線しか含まない、請求項１ないし１０のいずれかに記載のブラシモータ。
【発明の詳細な説明】
【技術分野】
【０００１】
本発明は、ブラシモータに係り、より詳細には、ブラシモータの巻線に係る。
【背景技術】
【０００２】
典型的なブラシモータは、固定子と、スロットで分離された多数の回転子突極を有する回転子コアを含む回転子と、整流子と、回転子コアの極の周りに巻かれた巻線とを備えている。回転子コアを巻線から絶縁するために各スロット内に絶縁材を配置することができる。慣習的なブラシウェーブ巻線モータは、通常、同じ数の回転子スロット（回転子極）及び整流子セグメント、例えば、２５個の回転子スロット及び２５個の整流子セグメントを採用している。
【０００３】
通常は、固定子極、回転子極、及び整流子セグメントの数でモータの構造を記述する。回転子極の数は、回転子極によって画成されるスロットの数に等しいので、固定子極との混同を回避するため、従来、回転子極の数をスロット数と称している。又、従来、整流子セグメントをバーと称し、例えば、４極２５スロット２５バーのモータは、４個の固定子極、２５個の回転子極、及び２５個の整流子セグメントを伴うモータを指す。整流子セグメントの数が回転子極の数に等しい場合には、通常そうであるように、それらは記述されず、従って、前記例のモータは、単に、４極２５スロットモータと称される。
【発明の概要】
【発明が解決しようとする課題】
【０００４】
しかしながら、この種の慣習的なブラシウェーブ巻線モータのスロット充填ファクタ（スロット内の絶縁ワイヤの合計断面積とスロットの断面積との比）は、特に小型モータが多数の狭い回転子スロットを有するときには、比較的小さく、モータの性能を制限する。
【０００５】
従って、スロット充填ファクタの高い改良されたブラシモータが要望される。
【課題を解決するための手段】
【０００６】
従って、本発明は、その１つの態様において、２Ｐ個の極をもつ固定子、回転子コアを含む回転子、整流子、及び回転子コアの歯の周りに巻かれた巻線を備えたブラシモータであって、回転子コアは、Ｎ個の歯を備え、隣接する歯の間にスロットが形成され；整流子は、Ｚ1・・・ＺX・・・ＺY・・・ＺMで表されたＭ個のセグメントを含み、Ｍは、Ｎより大きく、Ｎ、Ｐ、Ｙ及びＸは、整数であり、Ｍは、奇数の整数であり；各巻線は、出発点がセグメントＺXに接続され、そして終了点が別のセグメントＺYに接続され、ＺX及びＺYは、式｜Ｙ−Ｘ｜＝（Ｍ±１）／Ｐを満足するものであり；各巻線は、それに対応する歯（１つ又は複数）に巻かれた少なくとも１つのコイルを含み、幾つかの巻線は、異なる歯に巻かれた複数のコイルを含み、各巻線のコイルの全巻回数は実質的に同じであり；そして複数の巻線により形成される巻線ユニットが、各対の隣接セグメント間に接続される、ブラシモータを提供する。
【０００７】
好ましくは、複数のコイルを含む前記幾つかの巻線は、各々、互いに逆方向に異なる歯の周りに巻かれた２つのコイルを有する。
【０００８】
好ましくは、２つのコイルを有する各巻線の２つのコイルは、２つのセグメント間に接続されると共に、前記２つのセグメント間に接続された仮想ウェーブ巻線として協働する。
【０００９】
好ましくは、同じ巻線の２つのコイルは、異なる巻回数を有する。
【００１０】
好ましくは、各対の隣接巻線は、共通の歯又は歯のグループの周りに巻かれたコイルを有する。
【００１１】
好ましくは、ある巻線ユニットにおいて、隣接対の巻線のコイルは、同じ歯の周りに巻かれる。
【００１２】
好ましくは、各コイルは、１つの歯の周りに巻かれる。
【００１３】
好ましくは、モータは、４個の極、５個の歯、２５個のセグメント、及び２５個の巻線を含む。
【００１４】
或いは又、各コイルは、複数の歯の周りに巻かれる。
【００１５】
好ましくは、モータは、４個の極、１５個の歯、４５個のセグメント、及び４５個の巻線を含み、各コイルは、３個の歯の周りに巻かれる。
【００１６】
好ましくは、各巻線ユニットは、２つの巻線しか含まない。
【００１７】
以下、添付図面を参照し、本発明の好ましい実施形態を一例として説明する。２つ以上の図に現れる同じ構造物、要素又は部品は、一般的に、それらが現れる全ての図において同じ参照番号で示す。図示されたコンポーネント及び特徴部の寸法は、一般的に、表現の便宜上及び明瞭化のために選択されたものであって、必ずしも正しいスケールで示されていない。
【図面の簡単な説明】
【００１８】
【図１】本発明の好ましい実施形態によるブラシモータの巻線構成を示す。
【図２】図１のブラシモータに対する巻線と歯とセグメントとの間の接続関係を示す巻線テーブルである。
【図３】本発明の別の実施形態によるブラシモータの巻線構成を示す。
【図４】図３のブラシモータに対する巻線と歯とセグメントとの間の接続関係を示す巻線テーブルである。
【発明を実施するための形態】
【００１９】
本発明によるブラシモータは、２Ｐ個の磁極をもつ固定子、回転子コアを含む回転子、整流子、及び回転子コアに巻かれた巻線を備えている。回転子コアは、Ｎ個の歯を備え、隣接する歯の間にスロットが形成される。整流子は、Ｚ1・・・ＺX・・・ＺY・・・ＺMで表されたＭ個のセグメントを含み、Ｍは、Ｎより大きく、Ｍは、奇数の整数であり、そしてＮ、Ｐ、Ｙ及びＸは、整数である。各巻線は、出発点がセグメントＺXに接続され、そして終了点が別のセグメントＺYに接続され、ＺX及びＺYは、式｜Ｙ−Ｘ｜＝（Ｍ±１）／Ｐを満足するものである。各巻線は、それに対応する歯又は歯のセットに巻かれた少なくとも１つのコイルを含む。幾つかの巻線は、各々、異なる歯に巻かれた複数のコイルを含む。各巻線のコイルの全巻回は実質的に同じである。複数の巻線を含む巻線ユニットが、各対の隣接セグメント間に接続される。
【００２０】
モータは、ＰＭＤＣ（永久磁石直流）モータ又はユニバーサルモータであり、洗濯機、ミキサー、ジューサー、ヘアドライヤー、電気掃除機、等に使用されるものである。
【００２１】
４個の極、５個のスロット及び２５個のバー（セグメント）をもつＰＭＤＣモータについて、一例として、以下に述べる。
【００２２】
図１及び２を参照すれば、モータ８００は、４個の固定子極を形成する４個の磁石１００を有する固定子と、４個のブラシ２００と、回転子コア３００を有する回転子と、整流子４００とを備えている。回転子コア３００は、５個の歯Ａ〜Ｅを有し、隣接する歯の間にスロットが形成されている。整流子４００は、２５個のセグメント１〜２５を備えている。回転子は、更に、歯の周りに巻かれ且つスロットに収容された２５個の巻線５０１〜５２５を備えている（図１には２つの巻線５０１、５０２しか示されていない）。各巻線は、出発点及び終了点が、各々セグメントの２つに接続される。巻線５０１〜５２５は、図２に示す巻線テーブルに基づいて順次に巻かれる。例えば、巻線５０１は、歯Ａに１５巻回で巻かれたコイルを含む。巻線５０１の出発点は、セグメント１に接続され、そしてその終了点は、セグメント１４に接続される。歯Ａに巻かれた巻線５０１は、セグメント１と１４との間の接続されたウェーブ巻線を形成する。巻線５０２は、歯Ａ及びＢの周りに各々巻かれた２つのコイルを含む。巻線５０２の出発点は、セグメント１４に接続され、そしてその終了点は、セグメント２に接続される。巻線５０１及び５０２は、隣接セグメント１と２との間に接続された巻線ユニットを構成する。巻線５０２において、歯Ａの周りに巻かれるコイル、及び歯Ｂの周りに巻かれるコイルは、巻回数が異なってもよい。例えば、歯Ａの周りに巻かれるコイルは、９巻回で、歯Ｂの周りに巻かれるコイルは、６巻回である。巻線５０２の全巻回数は、巻線５０１に等しい。巻線５０２では、歯Ａの周りに巻かれるコイル、及び歯Ｅの周りに巻かれるコイルにより発生される逆ＥＭＦ（起電力）のベクトル合成が、その巻線５０２が接続されるセグメント２及び１４に対応する。即ち、セグメント２と１４との間に接続される巻線５０２の２つのコイルは、セグメント２と１４との間に接続された仮想ウェーブ巻線として協働する。歯Ａに巻かれるコイル、及び歯Ｅに巻かれるコイルは、互いに逆方向に巻かれる。
【００２３】
図２に示すように、大文字は、コイルがそれに対応する歯に時計方向に巻かれることを表している。小文字は、コイルがそれに対応する歯に反時計方向に巻かれることを表している。文字の近くの数字は、対応する歯に巻かれるコイルの巻回数を表している。各対の隣接巻線は、共通の歯に巻かれたコイルを有する。例えば、巻線５０１では、コイルが歯Ａに巻かれる。巻線５０２では、第１のコイルも歯Ａに巻かれる。セグメント１４と１５との間に接続される巻線ユニットでは、巻線５０２のコイル及び巻線５０３のコイルが同じ歯Ａ及びＥに巻かれる。
【００２４】
図３は、本発明の別の実施形態によるブラシモータの巻線構成を示す。この実施形態のモータは、４極、１５スロット、４５バーのモータである。従って、磁石１００によって４個の固定子極が形成され、回転子コア３００には１５個の歯（Ａ〜Ｏ）があり、そして整流子４００には４５個のセグメント（１〜４５）がある。又、４５個の回転子巻線（６００〜６４５）があり、これら巻線の各コイルは、３つの歯に及び、即ち３つの歯の周りに巻かれている。図４は、図３のブラシモータに対する巻線と歯とセグメントとの間の接続関係を示す巻線テーブルである。このモータの巻線構成は、各コイルが３つの歯に巻かれることを除いて、第１の実施形態のモータに対する巻線構成と同様である。巻線６０１〜６４５の幾つかは、１つのコイルで構成され、そして他の巻線は、互いに逆方向に巻かれた２つのコイルで構成される。各対の隣接巻線は、共通の歯のグループに巻かれたコイルを有する。例えば、巻線６０１において、コイルは、歯Ｏ、Ａ及びＢに巻かれる。巻線６０２において、第１のコイルは、歯Ｏ、Ａ及びＢに巻かれる。巻線６０２の第２コイル、及び巻線６０３の第１コイルは、共通の歯ｄ、ｅ及びｆに巻かれる。
【００２５】
あるモータでは、同じ巻線の幾つかのコイルが同じ巻回数を有することが理解される。しかし、２つのセグメント間に接続された同じ巻線のコイルが、２つのセグメント間に接続された仮想ウェーブ巻線として協働するのが好ましい。
【００２６】
固定子極は、個別の永久磁石により形成されるものとして示されたが、共通の永久磁石で形成されてもよいし、又は電磁石、即ち固定子コイルによって形成されてもよい。
【００２７】
本発明の説明及び特許請求の範囲において、動詞「備える(comprise)」、「含む(include)」、「収容する(contain)」及び「有する(have)」並びにその変化は、各々、ここに述べたアイテムの存在を特定するために包括的な意味で使用され、付加的なアイテムの存在を除外するものではない。
【００２８】
本発明は、１つ以上の好ましい実施形態を参照して説明したが、当業者であれば、種々の変更がなされ得ることが明らかであろう。それ故、本発明の範囲は、特許請求の範囲によって決定されるものとする。
【００２９】
例えば、固定子極は、個別の永久磁石により形成されるものとして示されたが、共通の永久磁石で形成されてもよいし、又は電磁石、即ち固定子コイルによって形成されてもよい。
【符号の説明】
【００３０】
１〜２５：セグメント
１００：磁石
２００：ブラシ
３００：回転子コア
４００：整流子
５０１〜５２５：巻線
６００〜６４５：巻線
８００：モータ
Ａ〜Ｅ：歯
Ａ〜Ｏ：歯
【図１】
2011024416.tif 000003
【図２】
2011024416.tif 000004
【図３】
2011024416.tif 000005
【図４】
2011024416.tif 000006
【外国語明細書】
2011024416.tif 000007
2011024416.tif 000008
2011024416.tif 000009
2011024416.tif 000010
2011024416.tif 000011
2011024416.tif 000012
2011024416.tif 000013
2011024416.tif 000014
2011024416.tif 000015
2011024416.tif 000016
2011024416.tif 000017
2011024416.tif 000018